(57)【要約】  本発明は、移動可能な家具の部品（３）、特に引出しのための駆動ユニットに関し、前記ユニットは排出機構（６）を備え、これを用いて移動可能な家具の部品（３）を閉じた位置から少なくとも部分的に開いた位置へ移動させる。また、ユニットは少なくとも１つのセンサ（７，７’）を備え、これを用いて排出機構（６）の移動を始動し、前記１つのセンサ又は複数のセンサ（７，７’）は感触器（１１，２１）を備え、感触器は少なくとも閉じた位置において移動可能な家具の部品（３）に対して配置されている。感触器（１１，２１）は、排出機構（６）を始動するために、家具の部品（３）の移動を登録するために使用される。家具の部品（３）の位置を登録する機能は、前記部分（３）の排出から切り離す。【選択図】図１
2009534067.tif 000002
【特許請求の範囲】
【請求項１】
特に引出しのような移動可能な家具の部品（３）のための駆動装置であって、排出装置（６）を有し、前記排出装置を用いて前記移動可能な家具の部品（３）が閉じた位置から少なくとも部分的に開いた位置へと動くことができ、更に少なくとも１つのセンサ（７，７’）を有し、前記センサを用いて排出装置（６）の動きが始動可能になっている前記駆動装置において、
前記少なくとも１つのセンサ（７，７’）は、少なくとも前記閉じた位置において前記移動可能な家具の部品（３）を押し付ける感触器（１１，２１）を備え、前記排出装置を始動するために前記感触器（１１，２１）により前記家具の部品（３）の動きが検出可能になっていることを特徴とする駆動装置。
【請求項２】
所定の経路の距離にわたる前記感触器（１１，２１）の動きが、前記センサ（７，７’）により検出可能になっていることを特徴とする請求項１に記載の駆動装置。
【請求項３】
前記移動可能な家具の部品（３）が、前記閉じた位置においてばね荷重を受けて保持され、前記排出装置（６）を始動するために前記家具の本体に出入りして動くことができることを特徴とする請求項１又は２に記載の駆動装置。
【請求項４】
前記感触器（１１，２１）が、前記移動可能な家具の部品（３）に対して、ばね荷重で押し付けられていることを特徴とする請求項１〜３のいずれか一項に記載の駆動装置。
【請求項５】
前記センサ（７，７’）が、前記排出装置から間隔を隔てて、前記家具の本体（２）に取り付けられていることを特徴とする請求項１〜４のいずれか一項に記載の駆動装置。
【請求項６】
光学的センサ（７，７’）が、前記感触器（１１，２１）の動きを検出するために設けられていることを特徴とする請求項１〜５のいずれか一項に記載の駆動装置。
【請求項７】
前記センサ（７）が、光バリアに対して移動可能な少なくとも１つのラスタ膜（７１，７４）を有していることを特徴とする請求項６に記載の駆動装置。
【請求項８】
前記感触器（２１）が、歯付きラック（２２）に結合され、前記歯付きラックを用いて前記光バリア（２８）に配置されたラスタ円板（２６）が回転可能になっていることを特徴とする請求項１〜７のいずれか一項に記載の駆動装置。
【請求項９】
前記センサ（７，７’）と前記排出装置（６）とが前記家具の本体（２）における裏壁（８）に配置され、前記排出装置（６）が枢動可能なレバー（１４）を備えていることを特徴とする請求項１〜８のいずれか一項に記載の駆動装置。
【請求項１０】
前記センサ（７，７’）の前記感触器（１１，２１）が、前記引出しの前記裏壁の中心を外れて配置されていることを特徴とする請求項１〜９のいずれか一項に記載の駆動装置。
【請求項１１】
互いに間隔を隔てた２つの前記センサ（７，７’）が、前記移動可能な家具の部品（３）に隣接して配置されていることを特徴とする請求項１〜１０のいずれか一項に記載の駆動装置。
【請求項１２】
前記感触器（１１）が、目印を有すると共に前記引出しの前記裏壁（５）に固定されたピンとして設けられることを特徴とする請求項１〜１１のいずれか一項に記載の駆動装置。
【発明の詳細な説明】
【技術分野】
【０００１】
本発明は、特に引出しのような移動可能な家具の部品の駆動装置に関し、排出装置を有し、この排出装置を用いて移動可能な家具の部品が閉じた位置から少なくとも部分的に開いた位置へ動くことができ、更に少なくとも１つのセンサを有し、このセンサを用いて排出装置の動きが始動可能になっているようなものである。
【背景技術】
【０００２】
移動可能な家具の部品のための排出装置は、独国実用新案公報ＤＥ ２０ ２００４ ００７ １６８ Ｕ１号によって知られており、ここでは、ピンの形態である押圧装置が、移動可能な家具の部品に適用される。ピンは、センサによって位置が検出される部分に結合される。更に、スイッチが設けられ、移動可能な家具の部品が押し付けられたときには、スイッチがトリガされ、排出工程がトリガされる。この解決策には、不正確なトリガ発生を避けるために、排出装置におけるスイッチの取付けが、極めて正確に実行されなければならないという不都合を有する。これは、通常いくらか大きな公差を有している家具には特に難しい。
【０００３】
オーストリア特許公報ＡＴ ２００４ ０１３７９ Ａ５号が開示している一点の家具は、接触スイッチを有するレバーを有してなる排出装置を有している。レバーの特定の位置に達すると、接触スイッチがトリガすることができ、移動可能な家具の部品を家具の本体から排出させる。しかしながら、スイッチング点の設定及び決定は比較的困難であることが分かっており、簡単に誤動作が生じる。
【発明の開示】
【発明が解決しようとする課題】
【０００４】
従って、本発明の目的は、移動可能な家具の部品の自動的な排出を許容し、その公差を補償することができる、移動可能な家具の部品のための駆動装置を提供することである。
【課題を解決するための手段】
【０００５】
この目的は、請求項１の特徴を有する駆動装置によって達成される。
【０００６】
本発明によれば、少なくとも１つのセンサが、少なくとも閉じた位置において移動可能な家具の部品に適用される感触器を備え、排出装置を始動する家具の部品の動きが感触器により検出可能になっている。家具の部品の位置及び／又は動きを検出する機能は、家具の部品を排出する機械的な機能から充分に分離されており、両方の要素、すなわちセンサと排出装置とを互いに別々に取り付けることができる。従って、移動可能な家具の部品に対して排出装置の位置の特に正確な設定を必要とする、先に定義したスイッチング点は設けられない。むしろ、センサは、ある種の公差の補償を呈することができ、位置決めは独立している。
【０００７】
本発明の好ましい設計によれば、感触器の動きは、家具の部品のある種の動き範囲において、センサの中立位置を介して検出可能になっている。これは、移動可能な家具の部品の正確な位置（スイッチング点）を検出することは、排出装置の始動のために必ずしも必要ではないためである。排出は、ユーザが意識して移動可能な家具の部品を一方向又は他方向に動かしたときに生じるべきである。これは、センサによって、排出装置を始動するように信号で伝えられるとよい。しかしながら、動きの検出は、必ずしも、家具の部品の正確な位置の検出又は考慮に結び付くわけではない。
【０００８】
本発明の更に別の設計によれば、移動可能な家具の部品は、閉じた位置においてばね荷重を受けて保持され、排出装置を始動するために家具の本体に対して出入りの両方に移動可能になっている。従って、排出装置の始動は、ユーザによって直観的に実行されることができる。何故ならば、家具の部品は、押し付けられ及び引っ張られて、排出装置の駆動装置を始動することができるためである。もちろん、例えばハンドル要素が設けられない場合には、移動可能な家具の部品が押し付けられたときに、排出装置の始動を実行することも可能である。
【０００９】
センサによってある種の公差補償を実行できるようにするために、感触器は、好ましくは、ばね荷重を受けた状態で、移動可能な家具の部品に適用される。従って、感触器は、閉じた位置になる前に、移動可能な家具の部品と共に動くことができ、感触器に結合されたセンサによってその動きを検出する。
【００１０】
光学的センサは、好ましくは、感触器の動きを検出するために設けられる。これにより特に感度の良い検出が許容され、センサは光バリアに対して移動可能な少なくとも１つのラスタ膜を有することができ、ラスタ膜の動きによってパルスは制御信号に変換されることができる。感触器は歯付きラックに結合されることも可能であり、歯付きラックを用いて光バリアに配置されたラスタ円板が回転可能になる。
【００１１】
本発明の好ましい設計によれば、センサと排出装置とは家具の本体における裏壁に配置され、排出装置は枢動可能なレバーを備えている。移動可能な家具の部品の排出は、他の駆動手段、例えば、電気駆動、ばね要素、又はその他の駆動手段であって、移動可能な家具の部品を動作させることができるものによって、実行してもよい。しかしながら、枢動可能なレバーを有する排出装置は、小型に構成された家具の本体における裏壁に配置することができるという利点を有する。
【００１２】
センサの感触器は、好ましくは、引出しの裏壁の中心から外れて配置される。これは、引出しがフロントパネルの横方向に動作するとき、引出しは捻れるかもしれず、そして感触器が中心に配置されていると始動が生じないためである。従って、感触器が引出しの中心領域に配置していないならば、有利である。駆動ユニットにより特に幅広な引出しが動かされるならば、例えば互いに間隔を隔てた２つのセンサを移動可能な家具の部品に隣接して配置することができる。
【００１３】
以下、本発明について、複数の例示的な実施形態に基づいて、添付図面を参照して、詳細に説明する。
【発明を実施するための最良の形態】
【００１４】
一点の家具１は、箱形の家具の本体２を備え、これに１以上の引出し３が移動自在に保持されている。この目的のために、延出ガイド４が引出し３の横方向に設けられ、家具の本体２の特定の側部に取り付けられている。
【００１５】
本実施形態による駆動装置は、排出装置６とセンサ７とを備え、引出し３の裏壁５に隣接して設けられている。センサ７は家具の本体２における裏壁８に取り付けられ、一方、排出装置６は垂直なブラケット９に保持され、この垂直なブラケットには電源供給のために電気配線が案内されている。ブラケット９は水平なブラケット１０に結合され、この水平なブラケットも電源供給のために使用することができる。
【００１６】
図２及び図３は、引出し３がわずかに開いた位置を示している。裏壁５には後方に突出するピン１１が設けられ、ピンは光学的センサ７と一緒に働く目印又は開口部を有している。センサ７はハウジング１２を備え、ハウジングには光バリア１３が設けられている。ピン１１が光バリア１３を通って動くと、制御装置にパルスが出力され、制御装置は引出し３が動いているか否かを検出する。加えて、引出し３の位置も検出することができる。
【００１７】
引出し３が閉じた位置にあるならば、ピン１１が休止位置にあるため、光バリア１３によって信号は出力されない。ユーザが引出し３を家具の本体２に押し込み又は引出しを家具の本体２から引き出したときにのみ、１以上のパルスを検出した後に排出装置６が始動されることができるように、ピン１１と光バリア１３との間に相対的運動が生じる。次に、排出装置６における枢動可能なレバー１４は、引出し３の裏壁５に押し付けられ、延出運動を支持する。次に、レバー１４は駆動装置により開始位置へ動かされるか、又は、戻し中に裏壁５がレバー１４を開始位置へ押し戻す。引出しを閉じる際には、ピン１１は光バリア１３の中へ戻され、光バリアが引出し３の動きを検出し、ピン１１の動きによって更なるパルスが生じなくなったとき休止位置にあることを確認する。排出装置６は、ピン１１の別の動きに際して、始動されるだけである。
【００１８】
認識された動きが排出装置６を始動するだけでなく、むしろ制御装置は、事前に定義可能な規準に従って、認識された動きが始動をもたらすべきか否かを決定する。引出し３を閉じる際に生じる動きは、始動を生じさせるべきでない。駆動装置により排出される結果となった前回に起こった意図された運動が、制御装置により認識される。従って、その後に認識された戻し運動は、別の排出を始動しない。所定の規準（パルス数、時間など）を満たした次に認識された動きだけが、排出装置６を再び始動する。
【００１９】
図４は、改変された実施形態による一点の家具を示しているが、同一の要素には同一の参照符号を付している。この実施形態においては、改変されたセンサ７’が裏壁８に設けられ、センサは排出装置６における他の側に配置されている。これは、排出装置６とセンサ７’とが互いに独立して配置することができることを示している。センサ７又は７’による制御パルスは、排出装置６の制御装置に伝えられるだけでよい。
【００２０】
図５及び図６は、移動可能な引出し３が排出装置６により開いた位置へ移動されることができる実施形態が示されている。センサ７’は、位置検出のために設けられており、引出し３と直接的に係合することがなく、むしろ引出しの床１８に取り付けられたブラケット１７に係合する。しかしながら、引出し３の動きは、センサ７’を用いて検出されることができる。センサ７’は、引出し３の床１８にではなく、側壁に設けることも可能である。
【００２１】
図７及び図８に示した実施形態においては、引出し３の裏壁５に隣接して設けられたセンサ７’だけが示されている。センサ７’の設計は、図９〜図１１に詳細に示している。
【００２２】
センサ７’はハウジング２０を備え、ハウジングには感触器２１が移動自在に取り付けられている。感触器２１は歯付きラック２２に結合され、歯付きラックはばね２３を介してハウジング２０に保持されている。引出し３の裏壁５が閉じた位置に動くとき、裏壁は感触器２１とばね２３とを押し付けて、歯付きラック２２は引出し３と一緒に動く。
【００２３】
歯付きラック２２の歯２４は歯車２５と係合し、歯車はラスタ円板２６に結合されている。歯車２５とラスタ円板２６との回転によって、歯付きラック２２の動きは光バリア２８により検出されることができる。次に、光バリア２８は、制御装置への配線を介して、検出されたパルスを出力する。配線のために、ハウジング２０には、通路２９が形成されている。
【００２４】
センサ７’は、ハウジング２０に簡単に取り付けるために、横方向に突出したフランジ３０を有しているとよい。ある種の公差補償は、歯付きラック２２のばね荷重取付けを介して、自動的に生じる。その理由は、引出し３の最終位置は歯付きラック２２の移動経路を介して検出されることができ、それにも拘らず歯付きラックは移動経路の特定の範囲に配置されることができ、特定のスイッチング点に合わせる必要がないためである。加えて、分解能は歯車２５とラスタ円板２６とによる動きの伝達によって特に細かく保たれることができ、引出し３の小さな動きが検出されて始動を開始する。
【００２５】
図１２は、更に別の設計によるセンサ７を模式的に示しており、光バリア７０が設けられ、これは２つのラスタ膜７１及び７４のまわりにＵ字形に配置され、ラスタ膜７１は暗い帯７２と光を透過する帯７３とを有し、一方、ラスタ膜７４は明るい帯７５と暗い帯７６とを有している。パルスはラスタ膜７１及び７４の互いに対する動きによって光バリア７０で発生し、パルスはラスタ膜とそれに結合された感触器１１又は２１の動きを検出することができる。２つのラスタ膜７１及び７４に代えて、１つだけのラスタ膜を光バリア７０に通して動かすことも可能である。
【００２６】
図示の例においては、引出しの動きを検出するために光学的センサ７、７’が使用されている。もちろん、引出しの動き又は位置を検出するために磁気センサ又はその他のセンサを使用することも可能である。位置検出を実行すべきならば、これはパルスを数えることで容易に実行されることができる。
【図面の簡単な説明】
【００２７】
【図１】本実施形態による駆動装置を有する、一点の家具を示した斜視図である。
【図２】図１の一点の家具について、わずかに開いた位置を示している。
【図３】図２の駆動装置を示した詳細図である。
【図４】わずかに変更された実施形態による、一点の家具を示している。
【図５】変更された実施形態による、駆動装置を有している、一点の家具を示した側面図である。
【図６】図５の駆動装置の詳細図を示している。
【図７】本実施形態による引出しを備えた駆動装置のセンサを示した詳細図である。
【図８】図７のセンサを示した詳細図である。
【図９】駆動装置のセンサを示した１つの図である。
【図１０】駆動装置のセンサを示した別の図である。
【図１１】駆動装置のセンサを示した更に別の図である。
【図１２】改変されたセンサを示した模式図である。
【図１】
2009534067.tif 000003
【図２】
2009534067.tif 000004
【図３】
2009534067.tif 000005
【図４】
2009534067.tif 000006
【図５】
2009534067.tif 000007
【図６】
2009534067.tif 000008
【図７】
2009534067.tif 000009
【図８】
2009534067.tif 000010
【図９】
2009534067.tif 000011
【図１０】
2009534067.tif 000012
【図１１】
2009534067.tif 000013
【図１２】
2009534067.tif 000014
【国際調査報告】
2009534067.tif 000015
2009534067.tif 000016
2009534067.tif 000017
2009534067.tif 000018